(57)【要約】【課題】既設のダクトレール１に吊り下げるだけですぐに表示機器２を使用可能となるような吊下装置を提供する。【解決手段】吊下装置３は、既設のダクトレール１に取り付けられるサブダクトレール５と、サブダクトレール５をダクトレール１に取り付けるための接続具６と、表示機器２をサブダクトレール５に吊り下げるための吊り具７とを備える。サブダクトレール５はダクトレール１に取り付けられた接続具６によって支持される。表示機器２は、サブダクトレール５に取り付けられた吊り具７のワイヤ８によって吊り下げられる。サブダクトレール５に、外部電源の電力を表示機器２に応じた電力に変換するコンバータ４が設けられる。外部電源はダクトレール１から接続具６を通じてコンバータ４に電気的に接続される。コンバータ４に電気的に接続されたサブダクトレール５は、吊り具７のワイヤ８を通じて表示機器２に電気的に接続される。【選択図】図１
2020004676.tif 000002
【特許請求の範囲】
【請求項１】
既設の固定部材に取り付けられるサブダクトレールと、サブダクトレールを固定部材に取り付けるための接続具と、表示機器をサブダクトレールに吊り下げるための吊り具と、電源の電力を表示機器に応じた電力に変換するコンバータとを備え、サブダクトレールは、固定部材に取り付けられた接続具によって支持されることにより固定部材に取り付けられ、吊り具はサブダクトレールにスライド可能に取り付けられ、コンバータは固定部材に設けられた電源に電気的に接続され、サブダクトレールに設けられた導電体がコンバータに電気的に接続され、吊り具はサブダクトレールの導電体に電気的に接続され、吊り具を通じて表示機器に電力が供給されることを特徴とする吊下装置。
【請求項２】
吊り具は表示機器を吊り下げる導電性を有するワイヤを有し、ワイヤが表示機器に設けられた係止具に固定され、係止具に、ワイヤの移動を規制するキャップが取り付けられたことを特徴とする請求項１記載の吊下装置。
【請求項３】
既設の固定部材に吊り下げられる表示機器と、電源の電力を所定の電力に変換するコンバータとを備えた表示装置であって、固定部材に取り付けられるサブダクトレールを備え、表示機器は、サブダクトレールにワイヤにより吊り下げられ、コンバータは固定部材に設けられた電源に電気的に接続され、サブダクトレールに設けられた導電体がコンバータに電気的に接続され、サブダクトレールの導電体に電気的に接続されたワイヤを通じて表示機器に電力が供給されることを特徴とする表示装置。
【発明の詳細な説明】
【技術分野】
【０００１】
本発明は、表示機器をダクトレール、天井などの固定部材に吊り下げるための吊下装置に関する。
【背景技術】
【０００２】
表示機器を天井から吊り下げるとき、特許文献１には、ＬＥＤを使用した表示機器が２本のケーブルで吊り下げられ、電力ソースから電力がケーブルを通じて表示機器に供給されることが記載されている。
【０００３】
ここで、表示機器を吊り下げるために、天井に固定されたダクトレールが利用される。ダクトレールには、外部電源が接続され、外部電源の電力がケーブルを通じて表示機器に供給される。外部電源として商用電源が用いられると、表示機器を動作させるためには、交流電圧を所定の直流電圧に変換するコンバータが必要となる。表示機器にコンバータ４が内蔵されていない場合、コンバータはダクトレールあるいは天井に設けられる。
【先行技術文献】
【特許文献】
【０００４】
【特許文献１】特表２０１５−５２８９１７号公報
【発明の概要】
【発明が解決しようとする課題】
【０００５】
既設のダクトレールに表示機器を吊り下げるとき、コンバータを天井に設ける場合、天井への取付工事が必要となる。また、コンバータをダクトレールに設けるために、コンバータを内蔵した電源ボックスが用いられる場合、電源ボックスをダクトレールにスライド可能に取り付け、表示機器をダクトレールに取り付け、電源ボックスと表示機器とを電気的に接続する必要があり、取付作業が煩雑である。
【０００６】
そこで、表示機器をダクトレールに吊り下げるだけですぐに使用可能となるような吊下装置が望まれる。本発明は、上記に鑑み、既設のダクトレールに表示機器を吊り下げるのに適した吊下装置の提供を目的とする。
【課題を解決するための手段】
【０００７】
本発明の吊下装置は、既設の固定部材に取り付けられるサブダクトレールと、サブダクトレールを固定部材に取り付けるための接続具と、表示機器をサブダクトレールに吊り下げるための吊り具と、電源の電力を表示機器に応じた電力に変換するコンバータとを備えている。サブダクトレールは、固定部材に取り付けられた接続具によって支持されることにより固定部材に取り付けられ、吊り具はサブダクトレールにスライド可能に取り付けられ、コンバータは固定部材に設けられた電源に電気的に接続され、サブダクトレールに設けられた導電体がコンバータに電気的に接続され、吊り具はサブダクトレールの導電体に電気的に接続され、吊り具を通じて表示機器に電力が供給される。
【０００８】
吊り具は表示機器を吊り下げる導電性を有するワイヤを有し、ワイヤが表示機器に設けられた係止具に固定され、係止具に、ワイヤの移動を規制するキャップが取り付けられる。吊り具からワイヤを通じて所定の電力が表示機器に供給される。表示機器の使用中、ワイヤや表示機器が揺れても、ワイヤの移動が規制され、ワイヤから表示機器は外れない。
【０００９】
上記の吊下装置を使用した表示装置は、既設の固定部材に吊り下げられる表示機器と、電源の電力を所定の電力に変換するコンバータとを備える。固定部材に取り付けられるサブダクトレールを備え、表示機器は、サブダクトレールにワイヤにより吊り下げられ、コンバータは固定部材に設けられた電源に電気的に接続され、サブダクトレールに設けられた導電体がコンバータに電気的に接続され、サブダクトレールの導電体に電気的に接続されたワイヤを通じて表示機器に電力が供給される。
【００１０】
既設の固定部材が外部電源に接続されたダクトレールの場合、吊下装置は、ダクトレールの下面に取り付けられるサブダクトレールと、サブダクトレールをダクトレールに取り付けるための接続具と、表示機器をサブダクトレールに吊り下げるための吊り具と、外部電源の電力を表示機器に応じた電力に変換するコンバータとを備える。サブダクトレールは、ダクトレールにスライド可能に取り付けられた接続具によって支持されることによりダクトレールに取り付けられ、吊り具はサブダクトレールにスライド可能に取り付けられ、サブダクトレールに、コンバータが設けられ、接続具はダクトレールに設けられた導電体に電気的に接続され、接続具とコンバータが電気的に接続され、サブダクトレールに設けられた導電体がコンバータに電気的に接続され、吊り具はサブダクトレールの導電体に電気的に接続され、吊り具を通じて表示機器に電力が供給される。外部電源は、ダクトレールから接続具を通じてコンバータに接続され、外部電源の電力が所定の電力に変換される。コンバータは、サブダクトレールから吊り具を通じて表示機器に電気的に接続され、所定の電力が表示機器に供給され、表示機器が動作する。
【００１１】
ダクトレールに取り付けられる表示装置は、外部電源に接続された既設のダクトレールに吊り下げられる表示機器と、外部電源の電力を所定の電力に変換するコンバータと、ダクトレールに取り付けられるサブダクトレールとを備え、表示機器は、サブダクトレールにワイヤにより吊り下げられ、サブダクトレールにコンバータが設けられ、コンバータはダクトレールに設けられた導電体に電気的に接続され、サブダクトレールに設けられた導電体がコンバータに電気的に接続され、サブダクトレールの導電体に電気的に接続されたワイヤを通じて表示機器に電力が供給される。
【発明の効果】
【００１２】
本発明によると、コンバータに接続されたサブダクトレールを用いることにより、既存のダクトレールにサブダクトレールを取り付けるだけで表示機器に適した電圧に変換された電力を供給することができ、コンバータを別途用意しなくても、すぐに表示機器を使用することができる。
【図面の簡単な説明】
【００１３】
【図１】吊下装置を用いた表示装置の概略全体構成図
【図２】ダクトレールに取り付けられた接続具の断面図
【図３】サブダクトレールに取り付けられた吊り具の断面図
【図４】接続具の斜視図
【図５】吊り具の斜視図
【図６】係止具の平面図
【図７】キャップの斜視図
【図８】係止孔に嵌められたキャップを示す図
【発明を実施するための形態】
【００１４】
本発明の実施形態に係る既設の固定部材（ダクトレール）に吊り下げられる表示装置は、図１に示すように、表示機器２と、外部電源に接続されたダクトレール１に表示機器２を吊り下げるための吊下装置３と、外部電源の電力を所定の電力に変換するコンバータ４とから構成される。
【００１５】
吊下装置３は、既設のダクトレール１の下面に取り付けられるサブダクトレール５と、サブダクトレール５をダクトレール１に取り付けるための接続具６と、表示機器２をサブダクトレール５に吊り下げるための吊り具７とを備える。吊り具７は導電性のワイヤ８を有し、表示機器２は、サブダクトレール５にワイヤ８により吊り下げられる。
【００１６】
図２、３に示すように、ダクトレール１は、長手方向に長く延びたアルミニウム製の管とされる。ダクトレール１の下面に長手方向に平行に取付溝１０が形成され、取付溝１０を挟むようにレール部１１が形成される。レール部１１の上側に一対の導電体１２が設けられる。導電体１２は、帯状の金属板からなる。正極の導電体１２と負極の導電体１２とが長手方向に沿って対向して配置される。導電体１２は、絶縁部材１３を介してダクトレール１に保持される。ダクトレール１は天井に固定され、外部電源として商用電源が正極、負極の導電体１２にそれぞれ接続され、外部電源から導電体１２に通電される。
【００１７】
アルミニウム製のサブダクトレール５は、ダクトレール１と同じ構造のレール部２０と導電体２１とを備え、ダクトレール１よりも長手方向の長さは短く、幅方向は同じ長さとされる。サブダクトレール５の内部に仕切壁２２が形成され、上部の空間が電源室２３とされる。電源室２３にコンバータ４が設けられる。コンバータ４は、ねじあるいは接着剤などによってサブダクトレール５に取り付けられる。サブダクトレール５の上面は開口されており、サブダクトレール５がダクトレール１に取り付けられたとき、電源室２３がダクトレール１の取付溝１０を通じてダクトレール１の内部の空間に連通する。コンバータ４は、外部電源の電力を表示機器２に応じて所定の電力に変換するＡＣ／ＡＣコンバータ、ＡＣ／ＤＣコンバータ、ＤＣ／ＤＣコンバータのいずれかとされる。例えば、表示機器２にＬＥＤが用いられている場合、コンバータ４は１００Ｖの外部電源を１２Ｖ、４Ａに変換する。
【００１８】
サブダクトレール５長手方向の一端には、電源ボックス２４が取り付けられている。サブダクトレール５の長手方向の他端に、エンドキャップ２５が嵌められている。コンバータ４と電源ボックス２４とは２本の電源ケーブル２６によって接続される。サブダクトレール５の正極の導電体２１および負極の導電体２１がそれぞれ電源ボックス２４に接続される。電源ボックス２４は、表示機器２を制御する駆動電流を出力する。なお、コンバータ４から交流の電力が供給される場合、電源ボックス２４は、ＡＣ／ＤＣコンバータ４を内蔵する。
【００１９】
図２、４に示すように、接続具６は、サブダクトレール５を支持するためのロック部３０と、ダクトレール１から外れないように接続具６をガイドするためのガイド部３１と、ダクトレール１とサブダクトレール５とを電気的に接続するコネクタ部３２とを有する。接続具６は、中空の筐体によって縦長に形成され、筐体３３の上部にコネクタ部３２とガイド部３１が設けられ、筐体３３の下部にロック部３０が設けられる。筐体３３は、ダクトレール１の取付溝１０およびサブダクトレール５の取付溝２７に挿入可能で、取付溝２７内において長手方向に直交する中心軸周りに回転可能な大きさに形成される。
【００２０】
ロック部３０は、サブダクトレール５の下面の取付溝２７の幅よりも大きな箱状に形成される。接続具６がダクトレール１に装着されたとき、ロック部３０は、サブダクトレール５の下方に位置し、サブダクトレール５の下面に当接することによりサブダクトレール５を支持する。
【００２１】
ガイド部３１は、筐体３３の幅方向の両側から外側に向かって突出する。ガイド部３１の幅方向の長さは、取付溝１０の幅よりも大きい。ガイド部３１の長手方向の幅は、筐体３３の幅と同じである。ガイド部３１が長手方向に平行になっているとき、ガイド部３１は、ダクトレール１の取付溝１０およびサブダクトレール５の取付溝２７を通り抜け、ダクトレール１のレール部１１に挿入可能とされる。ガイド部３１はダクトレール１のレール部１１にスライド可能に支持され、接続具６がダクトレール１から外れることはない。
【００２２】
コネクタ部３２は、ダクトレール１の導電体１２から給電される受電体３４を有する。受電体３４の上部が、筐体３３の上面から外部に露出して、幅方向の一側に向かって突出している。受電体３４の下部は、筐体３３の内部に収容され、導電性を有する接続端子３５に圧着されている。筐体３３の長手方向側の側面に、接続ケーブル３６の挿入口３７が形成され、挿入された接続ケーブル３６が接続端子３５を介して受電体３４と電気的に接続される。
【００２３】
仕切壁２２に、接続具６が通る挿通孔３８が２カ所形成されている。接続具６は、サブダクトレール５を貫通して、ダクトレール１に着脱可能に装着される。サブダクトレール５をダクトレール１に取り付けるとき、接続具６をサブダクトレール５の取付溝２７から挿通孔３８を通してダクトレール１に挿入する。接続具６を回すと、ガイド部３１がレール部１１に係止される。２つの接続具６により、サブダクトレール５がダクトレール１に取り付けられる。また、接続具６を回すとき、各接続具６の回す方向を逆にする。一方の接続具６の受電体３４がダクトレール１の正極の導電体１２に接触し、他方の接続具６の受電体３４が負極の導電体１２に接触する。２つの接続具６がダクトレール１に電気的に接続される。各接続具６に接続された接続ケーブル３６は、電源室２３内を通ってコンバータ４にそれぞれ接続される。
【００２４】
図３、５に示すように、吊り具７は、ワイヤ８を吊り下げるグリップ部４０と、サブダクトレール５から外れないように吊り具７をガイドするためのガイド部４１と、サブダクトレール５とワイヤ８とを電気的に接続するコネクタ部４２とを有する。吊り具７は、中空の筐体４３によって形成され、筐体４３の上部にコネクタ部４２とガイド部４１が設けられ、筐体４３の下部にグリップ部４０が設けられる。筐体４３の上部は、サブダクトレール５の取付溝２７に挿入可能で、取付溝２７内において長手方向に直交する中心軸周りに回転可能な大きさに形成される。
【００２５】
筐体４３の下部は、取付溝２７の幅よりも大きな箱状に形成され、ボルト４４が下方に向かって突出するように設けられる。グリップ部４０は、ワイヤ８をスライド可能に保持するスリーブ４５を有する。スリーブ４５は、挿通されたワイヤ８を挟み込むことによりワイヤ８を保持する。スリーブ４５は、ボルト４４にねじ込まれて筐体４３に取り付けられる。
【００２６】
ガイド部４１およびコネクタ部４２は、接続具６のものと同じである。ただし、吊り具７のガイド部４１は、極性に応じて受電体４６の突出する方向が異なる。正極用の吊り具７では、受電体４６が幅方向の一側に向かって突出し、負極用の吊り具７では、受電体４６は幅方向の他側に向かって突出する。コネクタ部４２の受電体４６は、接続端子４７から導電性を有するボルト４４およびスリーブ４５を通じてワイヤ８に電気的に接続される。
【００２７】
図１に示すように、表示機器２は、矩形状の導光板５０と導光板５０を取り囲む発光部５１とから構成される。発光部５１は、ＬＥＤを光源とし、導光板５０を保持する枠体５２内に設けられる。発光部５１は、枠体５２の四辺に配置される。導光板５０の表裏面に、ポスターなどの表示物がカバーによって覆われて装着される。カバーは、枠体５２に磁石よって着脱可能に取り付けられる。
【００２８】
枠体５２の四辺に、ワイヤ８を保持する係止具５３が設けられている。係止具５３は、各辺に２つ配される。ワイヤ８の下端に玉が取り付けられている。図６に示すように、係止具５３にワイヤ８の玉を係止する係止孔５４が形成されている。係止孔５４は、玉より大きな丸孔５５と、玉より幅の狭い長溝５６とから形成される。ワイヤ８の玉を丸孔５５から挿入して、ワイヤ８を長溝５６に沿って移動させると、ワイヤ８の玉が長溝５６に引っ掛かり、ワイヤ８は枠体５２から抜けないように保持される。
【００２９】
ワイヤ８の移動を規制するためのキャップ５７が係止孔５４に嵌められる。キャップ５７は、図７に示すように、係止孔５４の形状に合わせて形成され、係止孔５４を隠すフランジ５８を有する。キャップ５７は、長溝５６よりも短くされ、キャップ５７が係止孔５４に嵌められると、図８に示すように、フランジ５８が係止孔５４を覆う。長溝５６の一部はキャップ５４７に覆われないので、ワイヤ８は真っ直ぐに伸びている。ワイヤ８や表示機器２が揺れたとき、キャップ５７によりワイヤ８の移動が規制され、ワイヤ８が係止孔５４から抜けることを防止できる。したがって、表示機器２がワイヤ８から外れることを防止できる。
【００３０】
係止具５３は、導電性を有しており、係止具５３と発光部５１とがフレキシブルプリント基板などの配線によって電気的に接続される。したがって、外部電源の電力が、ダクトレール１からサブダクトレール５、ワイヤ８を介して表示機器２に供給される。ここで、サブダクトレール５にコンバータ４が設けられているので、サブダクトレール５をダクトレール１に取り付けるだけで外部電源の電力を簡単に表示機器２に供給することができる。また、表示機器２の大きさに応じた長さのサブダクトレール５を用意することにより、各種の表示機器２に対応することができる。例えば、表示機器２は、コンピュータ、ＴＶなどの表示装置であってもよい。さらに、表示機器２としては、光を発する照明器具であってもよい。
【００３１】
なお、本発明は、上記実施形態に限定されるものではなく、本発明の範囲内で上記実施形態に多くの修正および変更を加え得ることは勿論である。既設の固定部材が天井の場合、サブダクトレール５が接続具６を介して天井に取り付けられる。また、コンバータ４はサブダクトレール５に装着される電源ボックス２４内に設けてもよい。あるいはコンバータ４を外部電源に接続するための電源ケーブルに設けてもよく、この電源ケーブルは電源ボックス２４に接続される。
【符号の説明】
【００３２】
１    ダクトレール
２    表示機器
３    吊下装置
４    コンバータ
５    サブダクトレール
６    接続具
７    吊り具
８    ワイヤ
１２    導電体
２１    導電体
【図１】
2020004676.tif 000003
【図２】
2020004676.tif 000004
【図３】
2020004676.tif 000005
【図４】
2020004676.tif 000006
【図５】
2020004676.tif 000007
【図６】
2020004676.tif 000008
【図７】
2020004676.tif 000009
【図８】
2020004676.tif 000010
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
既設の固定部材の下面に取り付けられるサブダクトレールと、サブダクトレールを固定部材に取り付けるための接続具と、表示機器をサブダクトレールに吊り下げるためにサブダクトレールにスライド可能に取り付けられる吊り具と、電源の電力を表示機器に応じた電力に変換するコンバータとを備え、接続具は、サブダクトレールを貫通して固定部材に取り付けられ、固定部材に取り付けられた接続具によってサブダクトレールの下面が支持されることによりサブダクトレールは固定部材に取り付けられ、サブダクトレールの内部が上下に仕切られ、上部の空間がコンバータに接続されるケーブルが通る電源室とされ、コンバータはケーブルを介して電源に電気的に接続され、サブダクトレールに設けられた導電体がケーブルを介してコンバータに電気的に接続され、吊り具はサブダクトレールの導電体に電気的に接続され、吊り具を通じて表示機器に電力が供給されることを特徴とする吊下装置。
【請求項２】
既設の固定部材に吊り下げられる表示機器と、固定部材に表示機器を吊り下げるための吊下装置と、電源の電力を所定の電力に変換するコンバータとを備えた表示装置であって、吊下装置は、固定部材の下面に取り付けられるサブダクトレールと、サブダクトレールを貫通して固定部材に取り付けられ、サブダクトレールの下面を支持する接続具とを備え、サブダクトレールの内部が上下に仕切られ、上部の空間がコンバータに接続されるケーブルが通る電源室とされ、表示機器は、サブダクトレールに導電性を有するワイヤにより吊り下げられ、コンバータは固定部材に設けられた電源にケーブルを介して電気的に接続され、サブダクトレールに設けられた導電体がケーブルを介してコンバータに電気的に接続され、サブダクトレールの導電体に電気的に接続されたワイヤを通じて表示機器に電力が供給されることを特徴とする表示装置。
【請求項３】
ワイヤが表示機器に設けられた係止具に固定され、係止具に、ワイヤの移動を規制するキャップが取り付けられたことを特徴とする請求項２記載の表示装置。